(57)【特許請求の範囲】
【請求項１】
表示部と、前記表示部に配設されるタッチパネルと、前記タッチパネルの操作に応じて前記表示部の表示を制御する制御部とを備えた電子機器であって、
前記表示部は、前記電子機器に所定の処理を実行させるための画像を表示し、前記制御部は、前記タッチパネルに対して前記画像がドラッグ操作されると、前記表示部の表示画面上で前記画像を移動させ、前記表示画面上で前記画像がドロップ操作されると移動を確定し、
前記表示画面上にて前記画像をドラッグ操作に基づいて移動させた場合に、前記制御部は、前記画像と同じ画像が前記表示画面に含まれていると、前記画像のドロップ操作の前にその旨を報知する処理を行う電子機器。
【請求項２】
前記表示部は、複数の操作画面を切り替え表示可能であり、
前記操作画面上にて前記画像を移動させた場合に、前記制御部は、前記画像と同じ画像が前記操作画面に含まれていると、その旨を報知する処理を行う請求項１に記載の電子機器。
【請求項３】
前記表示部は、複数の操作画面を切り替え表示可能であり、
前記表示画面は、前記複数の操作画面から前記画像が設定される操作画面を選択するための選択用画面であり、前記選択用画面は、前記複数の操作画面に夫々対応した複数のサムネイルを含んでいる、請求項１に記載の電子機器。
【請求項４】
前記制御部は、前記タッチパネルが操作されると、前記表示部に前記選択用画面を表示させる、請求項３に記載の電子機器。
【請求項５】
前記報知は、前記画像と同じ画像を含む操作画面に対応したサムネイルを、その他のサムネイルと区別されるように前記表示部に表示することで行われる、請求項３又は請求項４に記載の電子機器。
【請求項６】
前記画像は、ショートカットアイコン又はウィジェットである、請求項１乃至５の何れかに記載の電子機器。
【請求項７】
表示部と、前記表示部に配設されるタッチパネルとを備えた電子機器のコンピュータに、
前記表示部に、前記電子機器に所定の処理を実行させるための画像を表示させる手順と、
前記タッチパネルに対して前記画像がドラッグ操作されると、前記表示部の表示画面上にて前記画像を移動させるドラッグ手順と、
前記表示画面上で前記画像がドロップ操作されると移動を確定させるドロップ手順と、
前記ドラッグ手順において、前記表示画面上にて前記画像をドラッグ操作に基づいて移動させた場合に、前記画像と同じ画像が前記表示画面に含まれていると、前記ドロップ手順の前にその旨を報知する手順とを実行させるプログラム。
【請求項８】
表示部と、前記表示部に配設されるタッチパネルと、前記タッチパネルの操作に応じて前記表示部の表示を制御する制御部とを備えた電子機器を用いて報知を行う報知方法であって、
前記表示部に、前記電子機器に所定の処理を実行させるための画像を表示させる工程と、
前記タッチパネルに対して前記画像がドラッグ操作されると、前記表示部の表示画面上にて前記画像を移動させるドラッグ工程と、
前記表示画面上で前記画像がドロップ操作されると移動を確定させるドロップ工程と、
前記ドラッグ工程において、前記表示画面上にて前記画像をドラッグ操作に基づいて移動させた場合に、前記画像と同じ画像が前記表示画面に含まれていると、前記ドロップ工程の前にその旨を報知する処理を行う工程とを含む報知方法。
【発明の詳細な説明】
【技術分野】
【０００１】
本発明は、タッチパネルを操作して、アプリケーションのショートカットやウィジェットの設定を行える電子機器に関する。
【背景技術】
【０００２】
近年、携帯通信分野において、所謂スマートフォンと称される携帯端末が広く普及している。スマートフォンは、公衆電話網や無線ＬＡＮを介した通信機能、電子メールの送受信機能、インターネットへの接続機能、静止画や動画の撮影・再生機能、文書ファイルの作成・編集機能、及び種々のアクセサリ機能などを有している。さらに、スマートフォンは、インターネットなどを通じてアプリケーション(ソフト)をダウンロードすることで、新たな機能を追加可能に構成されている。スマートフォンでは、表示部の表示面にタッチパネルが設けられており、グラフィカルユーザインターフェイス(ＧＵＩ)を採用することで、このような多様な機能に対応した操作や入力が実現されている。
【０００３】
一般的なスマートフォンでは、主たる操作画面としてデスクトップ画面が表示される。通常、デスクトップ画面には、スマートフォンの動作状態を示すステータスバーに加えて、上述した機能に関連したアプリケーションに対応したアイコンやダウンロードしたアプリケーションに対応したアイコンが含まれる。多数のアプリケーションから選択したアプリケーションをユーザが容易に使用できるように、スマートフォンは、複数のデスクトップ画面が切り替え表示されると共に、各デスクトップ画面に含まれるアイコンの種類や場所などを、ユーザが自由に設定又は編集できるように構成されている。
【０００４】
一般的なスマートフォンでは、デスクトップ画面に代えてメニュー画面が表示される。メニュー画面は、スマートフォンが実行可能なアプリケーションの一覧を示すものであり、アプリケーションの各々がアイコンで表示されている。多数のアイコンが含まれることから、一般的なメニュー画面は、スクロールバーの操作やフリック操作により、表示されるアイコンが置き換わるようにされている。メニュー画面に含まれるアイコン(つまり、アプリケーション)のショートカットアイコンを作成して、所望のデスクトップ画面に配置することで、デスクトップ画面へのアイコンの追加がなされる。
【０００５】
また、一般的なスマートフォンのデスクトップ画面には、上述したアイコンに加えて、１又は複数のウィジェットも配置可能である。ウィジェットは、デスクトップ画面の表示時にメモリに常駐するアプリケーションに対応又は関連した表示領域(ウインドウ)であって、例えば、時計、電卓、気象情報や株式情報のリアルタイム表示などの記憶容量が比較的小さいアプリケーションである。ウィジェットは、デスクトップ画面に配置される。ユーザがウィジェットをデスクトップ画面に新たに配置する場合、ウィジェットの一覧を示す画面が呼び出されて、デスクトップ画面に追加されるウィジェットが選択される。
【先行技術文献】
【特許文献】
【０００６】
【特許文献１】特開２００８−１６４３７１号公報
【発明の概要】
【発明が解決しようとする課題】
【０００７】
ユーザが、あるデスクトップ画面に既に配置されているショートカットアイコン又はウィジェットを、そのデスクトップ画面に設定又は追加しようとすることが起こり得る。ユーザが意識的に、同じアプリケーションのショートカットアイコン又は同じウィジェットを重複してデスクトップ画面に配置することもあろう。しかしながら、大抵の場合、そのような重複設定又は配置は、ユーザの不注意や忘却によるものであって、ユーザが望んでいないものである。従来のスマートフォンでは、デスクトップ画面におけるショートカットアイコン又はウィジェットの重複配置に対して、何の配慮もされていなかった。
【０００８】
本発明は、上記の問題を解決するものであり、タッチパネルを操作して、アプリケーションのショートカットやウィジェットなどの所定の機能を実行させるための画像の設定を行える電子機器において、ユーザが望まない重複設定を防止するものである。
【課題を解決するための手段】
【０００９】
本発明の電子機器は、表示部と、前記表示部に配設されるタッチパネルと、前記タッチパネルの操作に応じて前記表示部の表示を制御する制御部とを備えた電子機器であって、
前記表示部は、前記電子機器に所定の処理を実行させるための画像を表示し、前記制御部は、前記タッチパネルに対する操作に応じて前記画像を移動させ、前記表示画面上にて前記画像を移動させた場合に、前記制御部は、前記画像と同じ画像が前記表示画面に含まれていると、その旨を報知する処理を行う。
【００１０】
本発明の電子機器では、前記表示部は、複数の操作画面を切り替え表示可能であり、前記表示画面は、前記複数の操作画面から前記画像が設定される操作画面を選択するための選択用画面であり、前記選択用画面は、前記複数の操作画面に夫々対応した複数のサムネイルを含んでいる。さらに、前記制御部は、前記タッチパネルが操作されると、前記表示部に前記選択用画面を表示させる。
【００１１】
また、本発明の電子機器では、前記ユーザへの報知は、前記画像と同じ画像を含む操作画面に対応したサムネイルを、その他のサムネイルと区別されるように前記表示部に表示することで行われる。本発明の電子機器では、前記画像は、ショートカットアイコン又はウィジェットであってよい。
【００１２】
本発明のプログラムは、表示部と、前記表示部に配設されるタッチパネルとを備えた電子機器のコンピュータに、前記タッチパネルに所定の操作がなされると、前記電子機器に所定の機能を実行させるための画像を前記表示部の表示画面上にて移動させる手順と、前記表示画面上にて前記画像を移動させた場合に、前記画像と同じ画像が前記表示画面に含まれていると、その旨を報知する手順とを実行させる。
【００１３】
本発明の報知方法は、表示部と、前記表示部に配設されるタッチパネルと、前記タッチパネルの操作に応じて前記表示部の表示を制御する制御部とを備えた電子機器を用いて報知を行う報知方法において、前記制御部が、前記タッチパネルに所定の操作がなされると、前記電子機器に所定の機能を実行させるための画像を、前記表示部の表示画面上にて移動させる工程と、前記表示画面上にて前記画像を移動させた場合に、前記制御部は、前記画像と同じ画像が前記表示画面に含まれていると、その旨を報知する処理を行う工程とを含む。
【発明の効果】
【００１４】
本発明によれば、ユーザがタッチパネルを操作して、電子機器に所定の機能を実行させるための画像を新たに操作画面に設定又は追加する場合に、その画像が既に設定されている操作画面が存在すると、ユーザにその旨が報知される。このような報知がユーザになされることで、ユーザが望んでいない重複設定が抑制又は防止される。
【図面の簡単な説明】
【００１５】
【図１】図１は、本発明の実施例であるスマートフォンの概要を示すブロック図である。
【図２】図２は、本発明の実施例であるスマートフォンの正面図であって、デスクトップ画面が表示された状態を示す。
【図３】図３は、本発明の実施例であるスマートフォンの正面図であって、メニュー画面が表示された状態を示す。
【図４】図４は、本発明の実施例に係るショートカット設定処理を示すフローチャートである。
【図５】図５は、本発明の実施例であるスマートフォンの正面図であって、デスクトップ選択画面が表示された状態を示す。
【図６】図６は、本発明の実施例であるスマートフォンの正面図であって、デスクトップ選択画面にて、デスクトップ画面が選択された状態を示す。
【図７】図７は、本発明の実施例であるスマートフォンの正面図であって、ショートカットの重複が報知されている状態を示す。
【図８】図８(ａ)及び図８(ｂ)は、ショートカットの重複を報知する表示形態のショートカットアイコンを示す説明図である。
【図９】図９は、本発明の実施例に係るショートカット設定処理の第２実施形態を示すフローチャートである
【図１０】図１０は、本発明の実施例であるスマートフォンの正面図であって、デスクトップ画面が表示された状態を示す。
【図１１】図１１は、本発明の実施例に係るショートカット設定処理の第３実施形態を示すフローチャートである。
【図１２】図１２は、本発明の実施例であるスマートフォンの正面図であって、ショートカットの重複が報知されている状態を示す。
【図１３】図１３は、本発明の第２実施例であるスマートフォンのデスクトップ画面を示す説明図である。
【図１４】図１４は、本発明の第２実施例であるスマートフォンのデスクトップ選択画面を示す説明図である。
【図１５】図１５は、本発明の第２実施例であるスマートフォンのデスクトップ選択画面を示す説明図である。
【発明を実施するための形態】
【００１６】
以下、本発明について、図を参照して詳述する。図１は、本発明の電子機器の一実施例であるスマートフォン(11)の概要を示すブロック図である。図２は、デスクトップ画面が表示された状態におけるスマートフォン(11)の正面図である。
【００１７】
本発明の制御手段を構成する制御部(13)は、種々の演算処理を行うＣＰＵ(図示せず)を備えており、スマートフォン(11)の制御を総括的に実行する。本発明の記憶手段を構成する記憶部(15)は、ＲＯＭ、ＲＡＭやフラッシュメモリなど(何れも図示せず)を備えており、ＲＯＭには、制御部(13)が実行する制御手順を記述した各種プログラムなどが格納され、ＲＡＭには、制御部(13)のＣＰＵで処理されるデータなどが一時的に記憶される。フラッシュメモリには、各種アプリケーションや画面の構成要素のデータ(例えば、アイコン、ボタンや背景のデータ)などが格納される。制御部(13)及び記憶部(15)は、スマートフォン(11)におけるコンピュータとして機能する。
【００１８】
描画部(17)は、制御部(13)の指示に基づいて、記憶部(15)に格納された画面の構成要素のデータを合成して画面データを生成する。生成された画面データは、表示制御部(19)のＶＲＡＭに記憶される。表示制御部(19)は、ＶＲＡＭに記憶された画面又は画像データに基づいて、本発明の表示部を構成する表示部(21)に画面又は画像を表示する。表示部(21)は、例えば液晶表示装置であって、図１に示すように、筐体(23)の前面に開設された開口から視認可能なように、筐体(23)内に収容されている。
【００１９】
スマートフォン(11)は、入力又は操作手段として、タッチパネル(25)とハードキー(29a-d)を備えている。 タッチパネル(25)は、例えば、静電容量式のタッチパネルであって、筐体(23)の開口を塞ぐように、表示部(21)の表示面に重ねて配設される。タッチパネル(25)はユーザによりタッチされると、タッチ位置に応じたアナログ信号を入力制御部(27)に出力する。入力制御部(27)は、タッチパネル(25)から送られたアナログ信号を処理して、タッチパネル(25)におけるタッチ位置を示すタッチ位置信号を制御部(13)に送る。
【００２０】
図２には、筐体(23)の前面に設けられた４つのハードキー(29a-d)、つまり、ホームキー(29a)、メニューキー(29b)、検索キー(29c)及びバックキー(29d)が示されている。ホームキー(29a)は、例えば、デスクトップ画面を表示部(21)に表示するために使用される。メニューキー(29b)は、例えば、アプリケーションの実行時にサブメニューを表示部(21)に表示するために使用される。検索キー(29c)は、例えばインターネットを用いた検索に使用する検索画面を表示するのに使用される。バックキー(29d)は、表示部(21)の表示画面を１つ前の又は従前の表示画面に戻すのに使用される。入力制御部(27)は、４つのハードキー(29a-d)の何れかが押下されると、また、図示を省略したハードキー(例えば、電源キー)が押下されると、その押下を示す信号を制御部(13)に送る。
【００２１】
通信部(31)は、アンテナと接続されており、制御部(13)から送られる指示に基づいて、スマートフォン(11)と公衆電話網の基地局や無線ＬＡＮのアクセスポイントとの間の通信に必要な処理(例えば、送受信データの変復調処理)を行う。
【００２２】
マイクロフォン(33)は、例えばユーザの音声をアナログ音声信号に変換して音声処理部(35)に送る。音声処理部(35)は、マイクロフォン(33)から送られた音声信号をデジタル化して制御部(13)に送る。また、音声処理部(35)は、制御部(13)から送られたデジタル音声信号をアナログ化してスピーカ(37)に送る。バイブレータ(39)は、スマートフォン(11)を振動させるものである。バイブレータ(39)は、例えば、電話や電子メールの着信時に駆動して、振動により、その旨がユーザに通知される。
【００２３】
スマートフォン(11)は、複数のデスクトップ画面を設定可能であり、それらの中の１枚のデスクトップ画面が表示部(21)に表示される。本実施例のスマートフォン(11)では、例えば、５枚のデスクトップ画面が設定可能又は表示可能であって、これらデスクトップ画面は、一般的なスマートフォンのように、中央のデスクトップ画面と、その両側に夫々配置された２枚のデスクトップ画面とで構成されている。スマートフォン(11)の起動時には、例えば、中央のデスクトップ画面が表示される。図２には、あるデスクトップ画面(41)が、スマートフォン(11)の表示部(21)に表示されている模様が示されている。タッチパネル(25)を、左向き又は右向きにフリック操作することで、デスクトップ画面(41)は(それが最右又は最左のデスクトップ画面でなければ)、右側又は左側からスクロール移動した別のデスクトップ画面に切り替えられる。フリック操作とは、指やペンなどでタッチパネル(25)をタッチしてから素早く払う操作である。
【００２４】
例示したデスクトップ画面(41)には、ステータスバー(43)、ウィジェット(45)、アイコン(47)及びランチャー(49)が含まれている。ステータスバー(43)は、デスクトップ画面(41)の最上部に配置されており、スマートフォン(11)の状態に関する情報、例えば、通信状態やバッテリレベルに関する情報が表示される。また、ステータスバー(43)を起点としてタッチパネル(25)を下向きにドラッグ操作すると、スマートフォン(11)が現在処理している項目の一覧などが表示部(21)に表示される。ドラッグ操作とは、タッチパネル(25)にタッチしたままタッチ位置を移動させる操作である。ステータスバー(43)は、全てのデスクトップ画面に配置される。ウィジェット(45)は、デスクトップ画面の表示時にメモリに常駐するアプリケーションに対応又は関連した表示領域であって、デスクトップ画面(41)が表示されると、当該画面に設定されたアプリケーションが、記憶部(15)のフラッシュメモリからＲＡＭに読み出されて、制御部(13)により実行される。
【００２５】
例示したデスクトップ画面(41)には、５つのアイコン(47)が配置されている。これらアイコン(47)の各々は、特定のアプリケーションを表現している。アイコン(47)上にて、タッチパネル(25)がタップされる(短時間タッチ又は接触される)と、制御部(13)は、当該アイコン(47)に対応したアプリケーション又はコマンドを実行する。１枚のデスクトップ画面に配置可能なアイコンの最大数は、ウィジェットの有無などに応じて変動する。
【００２６】
記憶部(15)のフラッシュメモリには、複数のデスクトップ画面の各々について設定情報が記録される。設定情報には、各デスクトップ画面に含まれるウィジェット及び/又はアイコンの個数、種別及び場所などが含まれる。複数のデスクトップ画面の各々には、少なくとも１つのアイコン又はウィジェットを配置できる。また、ウィジェット又はアイコンが１つも含まないデスクトップ画面を設定することも可能である。
【００２７】
例示したデスクトップ画面(41)の最下部には、ランチャー(49)が配置されている。ランチャー(49)は、全てのデスクトップ画面に配置される。ランチャー(49)上にてタッチパネル(25)がタップされると、表示部(21)に、図３に示すようなメニュー画面(51)が表示部(21)に表示される。
【００２８】
メニュー画面(51)には、ステータスバー(43)と、複数のアイコン(53)と、スクロールバー(55)が含まれている。例えば、表示部(21)には、最大で２０個までのアイコン(53)が示されている。メニュー画面(51)に含まれるアイコン(53)は、スクロールバー(55)を上下に移動させるようにタッチパネル(25)をドラッグ操作するとスクロールし、表示部(21)に表示されるアイコン(53)の組合せが変化する。
【００２９】
メニュー画面(51)は、スマートフォン(11)が実行可能なアプリケーションの一覧を、アイコン(53)としてユーザに示す。デスクトップ画面に含まれるアイコン、例えば、図２に示すデスクトップ画面(41)のアイコン(47)の各々は、アプリケーションを示すショートカットアイコンであって、メニュー画面(51)のアイコン(53)のショートカットアイコンの何れかに対応している。メニュー画面(51)が呼び出されて、特定のアプリケーションが選択されると、そのショートカットアイコンが作成される。タッチパネル(25)が操作されて、作成されたショートカットアイコンの格納先のデスクトップ画面が選択されることで、デスクトップ画面に(ショートカット)アイコンが設定又は格納される。
【００３０】
図４は、本発明の実施例に係るショートカット設定処理を示すフローチャートであるローチャートである。この処理の手順を記述したプログラムは、例えば記憶部(15)のＲＯＭに格納されており、制御部(13)により実行される。
【００３１】
メニュー画面(51)が表示部(21)に表示されている状態にて、特定のアイコン(53)上にてタッチパネル(25)が長押し(ロングタッチ)されると、そのアイコン(53)に対応するショートカットアイコンが作成されると共に、作成したショートカットアイコンと共にデスクトップ選択画面が表示部(21)に表示される。制御部(13)は、入力制御部(27)から送られるタッチパネル(25)のタッチ位置を示すタッチ位置信号とその継続時間に基づいて、ユーザに指定されたアイコン(53)を特定すると共に、そのアイコン(53)上にてタッチパネル(25)が長押しされているか否かを判定し、特定のアイコン(53)が指定又は選択されたと判定されると、ショートカットアイコンを作成してそのデータを記憶部(15)に格納すると共に、描画部(17)に指示をして、ショートカットアイコンが配置されたデスクトップ選択画面を表示部(21)に表示する。
【００３２】
例えば、図３に示すメニュー画面(51)が表示されている状態にて、最右列の上から４番目のアイコン(53)上にてタッチパネル(25)が長押しされると、図５に示すようなデスクトップ選択画面(61)が表示部(21)に表示される。デスクトップ選択画面(61)には、ステータスバー(43)に加えて、作成されたショートカットアイコン(47')と、デスクトップ画面のサムネイル(63)、つまり縮小画像が含まれる。本実施例のスマートフォン(11)は、５枚のデスクトップ画面が設定可能であることから、図５には、これら５枚のデスクトップ画面に夫々対応した５つのサムネイル(63)が配置されている。表示部(21)にて、ショートカットアイコン(47')は、メニュー画面(51)にて選択されたアイコン(53)と同じ位置に表示される。故に、デスクトップ選択画面(61)にて、ショートカットアイコン(47')は、長押ししたユーザの指(65)の下に配置されている。
【００３３】
ステップＳ１の後、制御部(13)は、ショートカットアイコンを起点としてドラッグ操作がなされたか否かを、入力制御部(27)から送られるタッチ位置信号に基づいて判定する(Ｓ３)。ドラッグ操作がなされたと判定されると、制御部(13)は、描画部(17)に指示して、タッチ位置に合わせて、デスクトップ選択画面(61)上にてショートカットアイコンを移動させる。
【００３４】
ステップＳ３の後、制御部(13)は、ユーザによりドロップ操作が行われたか否かを判定する(Ｓ５)。ドロップ操作とは、タッチパネル(25)へのタッチを解除する操作である。制御部(13)は、入力制御部(27)からのタッチ位置信号の送信が停止する(又は、タッチ位置信号がタッチパネル(25)がタッチされていない旨を示す)と、ドロップ操作が行われたと判定する。ステップＳ５にて、ドロップ操作がなされたと判定された場合には、ステップＳ３が実行される。
【００３５】
ステップＳ５にて、ドロップ操作がなされたと判定されない場合、制御部(13)は、何れかのデスクトップ画面が選択されているか否かを判定する(Ｓ７)。例えば、あるデスクトップ画面に対応するサムネイル(63)の中心を含む所定の領域に、ショートカットアイコンの中心が入ると、当該デスクトップ画面が選択された画面として特定される。ステップＳ７にて、デスクトップ画面が選択されていると判定されない場合、ステップＳ５が実行される。
【００３６】
ステップＳ７にて、デスクトップ画面が選択されていると判定された場合、制御部(13)は、記憶部(15)に記憶されている選択されたデスクトップ画面の情報を参照して、デスクトップ選択画面(61)のショートカットアイコンと同じアプリケーションを示す(ショートカット)アイコンが、選択したデスクトップ画面に含まれているか否かを判定する(Ｓ９)。なお、ステップＳ９では、アイコンの図柄は同じであるか否かではなく、アイコンが示す、又はアイコンに対応したアプリケーションが同じであるか否かが判定される。なお、ステップＳ９では、アイコンの図柄が同じであるか否かも判定基準にされてもよい。
【００３７】
ステップＳ９にて、デスクトップ選択画面(61)のショートカットアイコンと同じアプリケーションを示すアイコンが、選択したデスクトップ画面に含まれていると判定されない場合、制御部(13)は、ユーザによりドロップ操作が行われたか否かを判定する(Ｓ１１)。ステップＳ１１にて、ドロップ操作が行われたと判定された場合、制御部(13)は、記憶部(15)に記憶されている選択されたデスクトップ画面の情報を更新して、そのデスクトップ画面にショートカットアイコンを格納又は設定する(Ｓ１３)。ステップＳ１１にて、ユーザによりドロップ操作が行われたと判定されない場合、制御部(13)は、デスクトップ画面の選択が解除されたか否かを判定する(Ｓ１５)。ステップＳ１５にて、デスクトップ画面の選択が解除されたと判定された場合、ステップＳ５が実行される。デスクトップ画面の選択が解除されたと判定されない場合、ステップＳ１１が実行される。
【００３８】
例えば、ステップＳ１が実行されると、図５に示すデスクトップ選択画面(61)が表示部(21)に表示される。図６は、図５に示す位置から、デスクトップ選択画面(61)にて真ん中に配置されたサムネイル(63)の中央まで、ショートカットアイコン(47')がタッチパネル(25)のドラッグ操作により移動し、そのサムネイル(63)に対応するデスクトップ画面が選択された模様を示す。図６は、選択されたデスクトップ画面に、ショートカットアイコン(47')と同じアプリケーションを示すアイコンが含まれていない場合におけるデスクトップ選択画面(61)を示している。図６に示す状態にて、ドロップ操作が行われると、ステップＳ１３が実行されて、ショートカットアイコン(47')が、真ん中のサムネイル(63)に対応するデスクトップ画面に設定又は格納される。
【００３９】
ステップＳ９にて、デスクトップ選択画面(61)のショートカットアイコンと同じアプリケーションを示すアイコンが、選択したデスクトップ画面に含まれていると判定された場合、つまり、デスクトップ選択画面(61)のショートカットアイコンが選択したデスクトップ画面に格納されると、同じアプリケーションを示すアイコンが重複すると判定された場合、制御部(13)は、ユーザにその旨を報知又は警告する処理を行う(Ｓ１７)。本実施例では、ステップＳ１７にて、制御部(13)は、描画部(17)に指示をして、選択されたデスクトップ画面に対応するサムネイル(63)を、その他のサムネイル(63)と視覚的に区別されるよう表示部(21)に表示する。
【００４０】
図７は、図５に示す位置から、デスクトップ選択画面(61)にて右から２番目にあるサムネイル(63)の中央まで、ショートカットアイコン(47')がタッチパネル(25)のドラッグ操作により移動し、そのサムネイル(63)に対応するデスクトップ画面が選択された模様を示す。選択されたデスクトップ画面には、ショートカットアイコン(47')と同じアプリケーションを示すアイコンが含まれていることから、ステップＳ１７が実行されており、右から２番目にあるサムネイル(63)(白色のサムネイル(63))は、アイコンの重複をユーザに報知するために点滅表示されている。
【００４１】
ステップＳ１７の報知は、デスクトップ選択画面(61)におけるショートカットアイコンの表示形態を変更することでなされてもよい。例えば、制御部(13)が描画部(17)に指示することで、図８(ａ)に図示したように、ショートカットアイコン(47')の縁部(白色で示す)が点滅表示されてもよく、図８(ｂ)に図示したように、ショートカットアイコン(47')上に×印が重畳表示されてもよい。
【００４２】
また、ステップＳ１７の報知は、表示部(21)の表示の変化に拠るものではなく、スマートフォン(11)のスピーカ(37)又はバイブレータ(39)を用いて行われてもよい。ステップＳ１７にて、制御部(13)は、音声処理部(35)に報知又は警告音の音声データを送信し、スピーカ(37)から報知音、例えばビープ音が発せられてよい。また、ステップＳ１７にて、制御部(13)は、バイブレータ(39)を駆動して、スマートフォン(11)を振動させてもよい。
【００４３】
ステップＳ１７の後、制御部(13)は、ユーザによりドロップ操作が行われたか否かを判定する(Ｓ１９)。本実施例では、ショートカットアイコンの重複設定は可能とされており、ステップＳ１１にて、ドロップ操作が行われたと判定された場合でも、ステップＳ１３が実行される。なお、ステップＳ１９の後にステップＳ１３が実行される場合にて、追加又は既存のアイコンの何れかが削除又は消去されてもよい。ステップＳ１９にて、ユーザによりドロップ操作が行われたと判定されない場合、ステップＳ１５と同様なステップＳ２１が行われる。ステップＳ２１にて、デスクトップ画面の選択が解除されたと判定された場合、制御部(13)は、報知を解除、つまりステップＳ１７で実行した処理を終了する(Ｓ２３)。ステップＳ２３の後、ステップＳ５が実行される。また、ステップＳ２１にて、デスクトップ画面の選択が解除されたと判定されない場合、ステップＳ１９が実行される。
【００４４】
図９は、本発明の実施例に係るショートカット設定処理の第２実施形態を示すフローチャートである。図９に示すステップＳ３１乃至Ｓ４５は、図４に示すステップＳ１乃至Ｓ１５に夫々対応しているので、説明を省略する。
【００４５】
ステップＳ３９にて、デスクトップ選択画面(61)のショートカットアイコンと同じアプリケーションを示すアイコンが、選択したデスクトップ画面に含まれていると判定された場合、制御部(13)は、描画部(17)に指示をして、当該デスクトップ画面を表示部(21)に表示する(Ｓ４７)。ステップＳ４７では、選択したデスクトップ画面に配置又は格納された重複アイコンが、当該デスクトップ画面のその他のアイコンと視覚的に区別されるように表示される。これによって、ユーザは、どのアイコンが重複するのか瞬時に理解できる。
【００４６】
例えば、図２に例示したデスクトップ画面(41)がステップＳ３７で選択されて、ステップＳ３１で作成されたショートカットアイコンと同じアプリケーションに対応したアイコンがデスクトップ画面(41)の上列の左から２番目のアイコン(47)である場合、ステップＳ４７が実行されると、図１０に示すようなデスクトップ画面(41)が表示部(21)に表示される。左列の左から２番目のアイコン(47)(白色で示す)は、点滅表示されて、その他のアイコン(47)と視覚的に区別されている。なお、左列の左から２番目のアイコン(47)は、図８(ａ)や図８(ｂ)で説明したように表示されてもよい。
【００４７】
図１１は、本発明の実施例に係るショートカット設定処理の第３実施形態を示すフローチャートである。図１１のステップＳ６１及びＳ６３は、図４のステップＳ１及びＳ３に夫々対応している。図１１に示す第３実施形態では、ステップＳ６３にて、作成したショートカットアイコンに対してドラッグ操作がなされたと判定されると、制御部(13)は、そのショートカットアイコンと同じショートカットアイコンがデスクトップ選択画面に含まれているか否かを判定する(Ｓ６５)。ステップＳ６５にて、同じショートカットアイコンがデスクトップ選択画面に含まれていると判定された場合、制御部(13)は、その旨をユーザに報知又は警告する処理を行う(Ｓ６７)。
【００４８】
ステップＳ６１が実行されて、図５に示すようなデスクトップ選択画面(61)が表示部(21)に表示され、ステップＳ６３にて、ショートカットアイコン(47')に対してドラッグ操作がなされたと判定されて、ショートカットアイコン(47')がデスクトップ選択画面(61)上を移動すると、ステップＳ６５にて、ショートカットアイコン(47')と同じショートカットアイコンがデスクトップ選択画面(61)に含まれているか否かが判定される。各サムネイル(63)は、それに対応するデスクトップ画面の縮小画像であって、各サムネイル(63)では、対応するデスクトップ画面に格納されているショートカットアイコンが縮小して描画されている。例えば、図２に例示したデスクトップ画面(41)に対応するサムネイル(63)には、図２に示す５つのショートカットアイコン(47)の縮小画像も含まれている。例えば、図５に示す左から２番目のサムネイル(63)に、ショートカットアイコン(47')と同じショートカットアイコン(47)が含まれている場合、ステップＳ６７が実行されると、図１２に示すように左から２番目のサムネイル(63)(白色で示す)は点滅表示され、その他のサムネイル(63)と視覚的に区別される。なお、ステップＳ６７では、先に説明したようなサムネイル(63)の点滅表示以外の手法を用いてユーザに報知がなされてよい。
【００４９】
ステップＳ６７の後、制御部(13)は、ドロップ操作がなされたか否かを判定し(Ｓ６９)、ドロップ操作がなされたと判定されると、図４のステップＳ７と同様にして、何れかのデスクトップ画面が選択されているか否かを判定する(Ｓ７１)。ステップＳ７１にて、デスクトップ画面が選択されていると判定された場合、制御部(13)は、図４のステップＳ１３に対応するステップＳ７３を実行する。ステップＳ７１にて、デスクトップ画面が選択されたと判定されない場合、制御部(13)は、ステップＳ６１にて作成したショートカットアイコン対するドラッグ操作が再度行われたか否かを判定する(Ｓ７５)。ステップＳ７５にて、ドラッグ操作が行われたと判定された場合、制御部(13)は、ステップＳ６９を実行する。
【００５０】
本発明は、アプリケーションのショートカット作成だけでなく。デスクトップ画面のウィジェット設定にも使用できる。本発明の第２実施例のスマートフォンは、図１と同様な構成を有しているが、所謂タブレット型スマートフォンである。図１３は、第２実施例のスマートフォンにて、デスクトップ画面(71)が表示部(21)に表示されている模様を示す説明図である(図１３乃至図１５では、スマートフォン全体が図示されていない点に留意のこと)。
【００５１】
デスクトップ画面(71)は、ウィジェット(73)と、アイコン(75)と、バックボタン(77)と、ホームボタン(79)と、デスクトップ選択画面表示ボタン(81)とを含んでいる。図１３では、３つのウィジェット(73)と、１０個のアイコン(75)とが示されているが、先に述べたように、本発明において、１枚のデスクトップ選択画面に含まれるウィジェットとアイコンの数は特に限定されない。第２実施例も、第１実施例と同様に５枚のデスクトップ選択画面が設定可能であって、タッチパネル(25)のフリック操作によって、表示部(21)に表示されるデスクトップ選択画面が切り替わる。
【００５２】
バックボタン(77)は、表示部(21)の表示画面を従前の画面に戻すのに使用される。ホームボタン(79)は、メニュー画面を表示するのに使用される。デスクトップ選択画面表示ボタン(81)は、デスクトップ選択画面を表示するのに使用される。
【００５３】
図１４に、デスクトップ選択画面表示ボタン(81)上にてタッチパネル(25)がタップされて、デスクトップ選択画面(91)が表示部(21)に表示された模様を示す。デスクトップ選択画面(91)の略上半分には、図５と同じような５枚のデスクトップ選択に夫々対応する５つのサムネイル(93)が配置されている。デスクトップ選択画面(91)の略下半分には、アプリケーションのショートカットアイコン(95)が複数配置されている。デスクトップ選択画面(91)に表示されるショートカットアイコン(95)は、タッチパネル(25)のフリック操作によって、スクロールして置き換わる。第１実施例と同様に、ショートカットアイコン(95)を指(65)で長押しすることで選択し、タッチパネル(25)をドラッグアンドドロップ操作して、選択したショートカットアイコン(95)をサムネイル(93)の中央領域に配置することで、そのサムネイル(93)に対応したデスクトップ画面にショートカットアイコン(95)が設定又は追加される。
【００５４】
第２実施例のスマートフォンでも、第１実施例について説明したような重複アイコンの報知又は通知が実行される。図４、図９又は図１１に示すフローチャートで説明した本発明に係るショートカット設定処理が、第２実施例のスマートフォンにも容易に適用できることは、当業者であれば容易に理解できるであろう。
【００５５】
デスクトップ選択画面表示ボタン(81)には幾つかのタブ(97)が設けられている。３個のタブ(97)の中の真ん中のタブ(「Ｗｉｄｇｅｔｓ」)上にて、タッチパネル(25)がタップされると、図１５に示すように、デスクトップ選択画面(91)は、ウィジェット設定モードに切り替わる。なお、この状態にて、３個のタブ(97)の中の左のタブ(「Ａｐｐ Ｓｈｏｒｔｃｕｔｓ」)上にて、タッチパネル(25)がタップされると、デスクトップ選択画面(91)は、図１４に示すショートカット設定モードに切り替わる。
【００５６】
図１５に示すウィジェット設定モードでも、デスクトップ選択画面(91)の略上半分に、５つのサムネイル(93)が配置されている。デスクトップ選択画面(91)の略下半分には、ウィジェットに対応した又はウィジェットを示すアイコン(ウィジェットアイコン)(99)が配置されている。デスクトップ選択画面(91)に表示されるアイコン(99)は、タッチパネル(25)のフリック操作によって、スクロールして置き換わる。第１実施例のアイコン設定処理と同様に、アイコン(99)を指(65)で長押しすることで選択し、タッチパネル(25)をドラッグアンドドロップ操作して、選択したアイコン(99)をサムネイル(93)の中央領域に配置することで、そのサムネイル(93)に対応したデスクトップ画面に、アイコン(99)に対応したウィジェット(73)が設定又は追加される。
【００５７】
第２実施例のスマートフォンでは、アプリケーションを示すショートカットアイコンと、同様に、重複ウィジェットの報知又は通知が実行される。図４、図９及び図１１に示すフローチャートで説明した本発明に係るショートカット設定処理が、第２実施例のスマートフォンにおけるウィジェット設定処理にも容易に適用できることは、当業者であれば容易に理解できるであろう。
【００５８】
本発明をスマートフォンに適用した実施例について説明したが、本発明は、スマートフォン以外のタッチパネルを備える電子機器、例えば、携帯ゲーム機、ナビゲーション装置や印刷機などにも適用可能である。また、本発明により処理されるアイコン又はショートカットは、例えば、文書ファイルや画像ファイルなどを表現するものであってもよい。
【００５９】
図４、図９及び図１１のフローチャートに示した手順は、あくまで本発明の実施例であって、これらフローチャートに示した手順と異なる手順を用いて本発明が実施されてもよい。
【００６０】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【符号の説明】
【００６１】
(11)  スマートフォン
(13)  制御部
(15)  記憶部
(21)  表示部
(25)  タッチパネル
(41)  デスクトップ画面
(47)  ショートカットアイコン
(45)  ウィジェット
(47')  ショートカットアイコン
(51)  メニュー画面
(53)  アイコン
(61)  デスクトップ選択画面
(63)  サムネイル
(73)  ウィジェット
(75)  ショートカットアイコン
(91)  デスクトップ選択画面
(93)  サムネイル
(95)  アイコン
(99)  ウィジェットアイコン
【図１】
0005846751.tif 000002
【図２】
0005846751.tif 000003
【図３】
0005846751.tif 000004
【図４】
0005846751.tif 000005
【図５】
0005846751.tif 000006
【図６】
0005846751.tif 000007
【図７】
0005846751.tif 000008
【図８】
0005846751.tif 000009
【図９】
0005846751.tif 000010
【図１０】
0005846751.tif 000011
【図１１】
0005846751.tif 000012
【図１２】
0005846751.tif 000013
【図１３】
0005846751.tif 000014
【図１４】
0005846751.tif 000015
【図１５】
0005846751.tif 000016